(57)【特許請求の範囲】
【請求項１】
目地部を介して設けられた高さの異なる左右の建物の、低い方の一方の建物のパラペットの上部に取付けられた目地部側が上方へ突出する防水カバー支持片および両側に雨水浸入阻止カバーが形成された水切りカバーと、前記目地部が広くなった場合に、前記水切りカバーに干渉しないように先端部の下方へ突出する側板が移動できるように、前記高い方の他方の建物の外壁に取付けられた目地カバーと、該目地カバーよりも下方であって前記左右の建物の対向する壁面に設けられた耐火帯と、その両端部が該耐火帯の下方の前記左右の建物の対向する壁面に取り付けられ、前記耐火帯を支持する左右方向に伸縮可能な少なくとも１つの耐火帯支承部材とで構成され、該耐火帯支承部材は、前記両端部が前後方向に回動可能、又は少なくとも一端部が前後方向にスライド可能のいずれかの態様に取り付けられていることを特徴とする屋上用目地カバー装置。
【請求項２】
前記耐火帯支承部材は、一端部がいずれかの建物の壁面に前後方向に回転可能又はスライド可能に取り付けられた一方の梁部材と、一端部が該一方の梁部材が取り付けられた壁面に対向する壁面に前後方向に回転可能又はスライド可能に取り付けられ、他端部が前記一方の梁部材の他端部と直接又は連結部材を介して伸縮可能に連結された他方の梁部材とより成ることを特徴とする請求項１記載の屋上用目地カバー装置。
【請求項３】
前記耐火帯支承部材は、一端部がいずれかの建物の壁面に前後方向に回転可能又はスライド可能に取り付けられ、他端部が対向する壁面に前後方向に回転可能又はスライド可能に取り付けられたパンタグラフ状の部材であることを特徴とする請求項１記載の屋上用目地カバー装置。
【請求項４】
前記目地カバーの両端部寄りの前記左右の建物の壁面に両端部が取付けられた外側壁用目地カバー装置と、前記目地カバーの両端部付近に取付けられ、先端部が外方へ回動できる端部カバーと、この端部カバーの外側端部全体に固定された側部雨水浸入阻止カバーとをさらに備えることを特徴とする請求項１乃至請求項３のいずれかに記載の屋上用目地カバー装置。
【発明の詳細な説明】
【技術分野】
【０００１】
本発明は目地部を介して設けられた高さの異なる左右の建物の屋上の目地部を防水可能に覆う屋上用目地カバー装置に関する。
【背景技術】
【０００２】
従来の屋上用目地カバー装置は、低い一方の建物のパラペットに取付けられた目地部側が上方へ突出する防水カバー支持片が形成されたクランク状の水切りカバーと、この水切りカバーの上部を覆う高い他方の建物の外壁に取付けられた先端部が下方へ突出する側板を有する目地カバーと、この目地カバーの側板と前記水切りカバーとの間より内部に水が浸入するのを阻止する防水カバー装置とで構成されている。
【０００３】
また、このような屋上用目地カバー装置が用いられる免震ビル等には、耐火能力を向上させるために、耐火帯を躯体の壁面間に固定している。
しかしこのような耐火帯は、重量が非常に重く、耐火帯の両端を単に躯体壁面にビスやボルト等の固定具で固定しただけでは、固定具の経年劣化等により耐火帯が欠落するおそれがあり、耐久性に問題があった。
【先行技術文献】
【特許文献】
【０００４】
【特許文献１】特許第４９６９５４９号公報
【特許文献２】特開２００１-１１５５６６号公報
【発明の概要】
【発明が解決しようとする課題】
【０００５】
本発明は以上のような従来の欠点に鑑み、左右の躯体間の目地部を覆う目地カバー装置で覆われた部位に設けられた耐火帯の耐久性を向上することができるとともに、左右の建物が地震により異なる前後左右方向に揺れ動いても、その揺れ動きを吸収することができる屋上用目地カバー装置を提供することを目的としている。
【課題を解決するための手段】
【０００６】
上記目的を達成するために、本発明は目地部を介して設けられた高さの異なる左右の建物の、低い方の一方の建物のパラペットの上部に取付けられた目地部側が上方へ突出する防水カバー支持片および両側に雨水浸入阻止カバーが形成された水切りカバーと、前記目地部が広くなった場合に、前記水切りカバーに干渉しないように先端部の下方へ突出する側板が移動できるように、前記高い方の他方の建物の外壁に取付けられた目地カバーと、該目地カバーよりも下方であって前記左右の建物の対向する壁面に設けられた耐火帯と、その両端部が該耐火帯の下方の前記左右の建物の対向する壁面に取り付けられ、前記耐火帯を支持する左右方向に伸縮可能な少なくとも１つの耐火帯支承部材とで構成され、該耐火帯支承部材は、前記両端部が前後方向に回動可能、又は少なくとも一端部が前後方向にスライド可能のいずれかの態様に取り付けられていることを特徴とする。
【発明の効果】
【０００７】
以上の説明から明らかなように、本発明にあっては次に列挙する効果が得られる。
（１）請求項１に記載の発明においては、耐火帯支承部材によって耐火帯を下方から支持することができる。
【０００８】
したがって、耐火帯の両端のみで耐火帯を支持する場合に比べ、耐久性を大幅に向上させることができる。
（２）耐火帯支承部材は、左右方向に伸縮可能で、その両端部が前後方向に回動可能、又はその一端部がスライド可能なので、左右の建物が異なる前後方向に揺れ動いた場合や、左右の建物間の目地部が狭く（広く）なった場合でも、耐火帯の支持状態を保ったまま、その揺れ動きを吸収することができる。
（３）請求項２及び請求項３に記載の各発明も前記（１）〜（２）と同様な効果が得られる。
（４）請求項４に記載の発明も前記（１）〜（２）と同様な効果が得られるとともに、端部カバー、側部雨水浸入阻止カバー及び外側壁用目地カバー装置により、側方からの雨水の侵入を防止することができる。
【図面の簡単な説明】
【０００９】
図１乃至図１０は本発明の第１実施形態を示す各説明図である。
図１１乃至図１４は本発明の第２実施形態を示す各説明図である。
【図１】本発明を実施するための第１の形態の平面図。
【図２】図１の２−２線に沿う断面図。
【図３】図１の３−３線に沿う断面図。
【図４】水切りカバーの説明図。
【図５】目地カバーの取付け状態の説明図。
【図６】耐火帯支承部材の説明図。
【図７】図６の７−７線に沿う断面図。
【図８】目地部が広くなった状態の動作説明図。
【図９】目地部が狭くなった状態の動作説明図。
【図１０】左右の建物が異なる前後方向に揺れ動いた状態の動作説明図。
【図１１】本発明を実施するための第２の形態の平面図。
【図１２】図１１の１２−１２線に沿う断面図。
【図１３】耐火帯支承部材の説明図。
【図１４】本左右の建物が異なる前後方向に揺れ動いた状態の動作説明図。
【発明を実施するための形態】
【００１０】
以下、図面に示す本発明を実施するための形態により、本発明を詳細に説明する。なお、本発明において前後方向とは、平面視上下方向（図１において上下方向）をいい、左右方向とは、平面視左右方向（図１において左右方向）をいう。
【００１１】
図１ないし図１０に示す本発明を実施するための第１の形態において、１は目地部２を介して設けられた高さの異なる左右の建物３、４の屋上部分に取付けられる本発明の屋上用目地カバー装置である。
【００１２】
この屋上用目地カバー装置１は低い方の一方の建物３の目地部２側のパラペット５の上部に複数本のアンカーボルト６等で、所定間隔で固定された複数個の取付け金具７に複数本のビス８で固定された目地部側が上方へ突出する防水カバー支持片９と、前後方向の両側に雨水浸入阻止カバー１０が形成され、傾斜状のカバー部１１ａが形成されたほぼクランク状の水切りカバー１１と、前記目地部２が広くなるように前記左右の建物３、４が揺れ動いた場合に、前記水切りカバー１１上を先端部の下方へ突出する側板１２が前記水切りカバー１１に干渉しないように高い方の他方の建物４の壁面４ａに複数本のタッピングビス１３等によって所定間隔で固定された複数個の目地カバー支持金具１４に支持されるとともに、壁面４ａに形成した凹部１５内に取付基端部を挿入して複数本のビス１６で固定された目地カバー１７と、この目地カバー１７の側板１２の上部寄りの内壁面に一端部が取付部材１８で押えて複数本のビス１９で固定され、他端部が前記水切りカバー１１の防水カバー支持片９に取付部材１８で押えて複数本のビス１９で固定されるとともに、該防水カバー支持片９に固定されたリール２０に伸縮自在に収納されたワイヤー２１に支持された前記目地部２の幅寸法に前記側板１２と防水カバー支持片９との間の寸法をプラスした寸法の防水カバー２２と、前記目地カバー１７よりも下方の位置であって前記一方の建物３の目地部側に形成された凹部状の下部壁面３ｂと対向する下部壁面４ｂに両端部が固定状態で設けられた耐火帯２３と、該耐火帯２３の下方の前記一方の建物の壁面３ａに形成された凹所状の下部壁面３ｂと、該下部壁面３ｂに対向する位置の他方の建物４の下部壁面４ｂに設けられ、前記耐火帯２３を支持する複数の耐火帯支承部材２４とで構成されている。
【００１３】
前記水切りカバー１１は、図４に示すように全体として略クランク状に形成されており、一方の建物３の屋上のパラペット５上に取付け金具７を介して固定されている。また、水切りカバー１１は、建物の前後方向に横長で、平面視略長方形状に形成され、かつ目地部側の後端部の方がその先端部よりも高い傾斜状のカバー部１１ａと、このカバー部１１ａに立ち上がり状に折り曲げ形成された防水カバー支持片９と、この防水カバー支持片９とは反対側の先端部に垂れ下がり状に連接する側板１２と、前後方向の両側に形成された雨水浸入阻止カバー１０とで構成されている。
【００１４】
なお、水切りカバー７の固定方法は、本実施形態では複数本のビス８により固定しているが、水切りカバー取付具１８に溶接等が考えられ、どのような固定方法でもよい。
【００１５】
前記目地カバー１７は、全体として略クランク状に形成されており、後端部１７ａが他方の建物４の壁面４ａに形成された取付凹部１５にビス１６で固定されている。なお、先端部１７ｂの方向に雨水が流れるように、後端部から先端部方向にかけて下り勾配になるように形成されており、さらに雨水を先端部方向へ流す溝等を形成してもよい。
前記防水カバー２２は、シート状のゴム等で形成されており、目地カバー１７と水切りカバー１１の間に設けられている。
【００１６】
前記耐火帯２３は、公知の耐火帯が用いられる。耐火帯２３の材質としては主にセラミックファイバー製でブランケット状に形成されており、地震によって目地部が広がると想定される最大寸法よりも長い全長に形成されている。この耐火帯２３は、前記目地カバー１７よりも下方の位置の左右の建物３、４の目地部側の対向する下部壁面３ｂ、４ｂに両端が固定状態で設けられている。
【００１７】
前記耐火帯支承部材２４は、前記耐火帯２３の下部を支持するように設けられる。耐火帯支承部材２４は、一端部２５ａが一方の建物の下部壁面３ｂに前後方向に回転可能に取り付けられた一方の梁部材２５と、一端部２６ａが他方の建物の下部壁面４ｂに前後方向に回転可能に取り付けられ、他端部２６ｂが前記一方の梁部材の他端部２５ｂと連結部材２７を介して連結された他方の梁部材２６とで構成されている。
【００１８】
前記一方の梁部材２５は、本実施形態では、角柱状に形成されており、一端部２５ａが取付部材２８を介して回転可能に一方の建物の壁面３ｂに取り付けられている。他端部２５ｂは連結部材２７の内部に摺動可能に挿入され、他方の梁部材２６の他端部２６ｂと連結部材２７を介して伸縮可能に連結される。
前記連結部材２７は、本実施形態では、角パイプ状に形成されており、前記一方の梁部材２６が摺動可能に挿入される。
【００１９】
前記他方の梁部材２６は、本実施形態では、角パイプ状に形成されており、一端部２６ａが取付部材２８を介して回転可能に他方の建物の下部壁面４ｂに取り付けられている。この他方の梁部材２６の他端部側には、前記連結部材２７が摺動可能に挿入される。
【００２０】
なお、他方の梁部材２６及び連結部材２７の内部には連結部材２７又は一方の梁部材２５が脱落しないようにストッパー２９を設け、摺動（伸縮）がスムーズに行えるようにローラーや滑り材３０を設けるとよい。また、連結部材２７を用いずに一方の梁部材２５の他端部２５ｂと他方の梁部材２６の他端部２６ｂを直接連結してもよい。
【００２１】
地震で左右の建物３、４が異なる左右方向に揺れ動き、目地部２が広くなるように揺れ動くと、図８に示すように目地カバー１７および水切りカバー１１の間隔を広げて、揺れ動きを吸収する。また、耐火帯２３は、目地部が広がる最大寸法以上の全長を有するので、耐火帯２３の両端部分にテンションがかかったり、破損等することなく地震による揺れ動きを吸収し、前記耐火帯支承部材２４は、伸長することにより地震による揺れ動きを吸収するとともに、前記耐火帯２３を下部から支持する。
【００２２】
地震で左右の建物３、４が異なる左右方向に揺れ動き、目地部２が狭くなるように揺れ動くと、図９に示すように目地カバー１７および水切りカバー１１の間隔を狭めて、揺れ動きを吸収する。また、耐火帯２３も折りたたまれたような状態で縮み地震による揺れ動きを吸収し、前記耐火帯支承部材２４は、地震による揺れ動きを吸収するとともに、前記耐火帯２３を下部から支持する。
【００２３】
地震で左右の建物３、４が異なる前後方向に揺れ動くと、図１０に示すように、耐火帯２３は、目地部が広がる最大寸法以上の全長を有するので、左右の建物３、４が異なる前後方向に揺れ動いても破損等することなく地震による揺れ動きを吸収し、前記耐火帯支承部材２４は、取付部材２８を支点に前後方向に回動するとともに、伸長することにより地震による揺れ動きを吸収し、前記耐火帯２３を下部から支持する。
【００２４】
なお、本実施の形態においては、防水カバーを用いた形態について説明したが、本発明はこれに限られず、防水カバーを用いなくてもよい。
【００２５】
[発明を実施するための異なる形態]
次に、図１１ないし図１４に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２６】
図１１ないし図１４に示す本発明を実施するための第２の形態において、前記本発明を実施するための第１の形態と主に異なる点は、一方の建物３の下部壁面３ｂに前後方向にガイドレール３１を取り付け、一端部に複数のローラー３２を設けて該ガイドレール３１上を前後方向にスライド移動できるように、耐火帯支承部材２４Ａを用いた点で、このように構成した屋上用目地カバー装置１Ａにしても、前記本発明を実施するための第１の形態と同様な作用効果が得られる。
【００２７】
前記耐火帯支承部材２４Ａは、一端部２５ａの底面にローラー３２が設けられた平面視長方形状の一方の梁部材２５Ａと、平面視長方形状の角パイプに形成され、一端部２６ａが他方の建物の下部壁面４ｂに取付部材２８Ａにより固定され、他端部２６ｂに一方の梁部材２５Ａが内部に摺動可能に挿入された他方の梁部材２６Ａとで構成されている。
地震で左右の建物３、４が異なる前後方向に揺れ動くと、図１４に示すように、前記耐火帯支承部材２４Ａは、ローラー３２が設けられたボックス状の一方の梁部材２５Ａが前記ガイドレール３１上を前後方向にスライド移動し地震による揺れ動きを吸収するとともに、前記耐火帯２３を下部から支持する。
【００２８】
なお、耐火帯支承部材は、両端が前後方向に回動可能又は少なくとも一端が前後方向にスライド可能に取り付けられ、かつ左右方向に伸縮可能であって、耐火帯を支持可能であればどのようなものを用いてもよく、例えば両端が回動可能に取り付けられたパンタグラフ状の部材を用いる等が考えられる。
【産業上の利用可能性】
【００２９】
本発明は左右の建物の屋上部分の目地部を覆う屋上用目地カバー装置を製造する産業で利用される。
【符号の説明】
【００３０】
１、１Ａ：屋上用目地カバー装置、
２：目地部、                  ３：一方の建物、
４：他方の建物、              ５：パラペット、  
６：アンカーボルト、          ７：取付け金具、
８：ビス、                    ９：防水カバー支持片、
１０：雨水浸入阻止カバー、    １１：水切りカバー、
１２：側板、                  １３：タッピングビス、
１４：目地カバー支持金具、    １５：凹部、
１６：ビス、                    １７：目地カバー、
１８：取付部材、              １９：ビス、
２０：リール、                ２１：ワイヤー、
２２：防水カバー、            ２３：耐火帯、
２４：耐火帯支承部材、        ２５、２５Ａ：一方の梁部材、
２６、２６Ａ：他方の梁部材、  ２７：連結部材、
２８：取付部材、              ２９：ストッパー、
３０：滑り材、                ３１：ガイドレール、
３２：ローラー。
【要約】      （修正有）【課題】左右の躯体間の目地部を覆う目地カバー装置で覆われた部位に設けられた耐火帯の耐久性、揺れ動きを吸収することができる屋上用目地カバー装置を提供する。【解決手段】目地部２を介して設けられた高さの異なる左右の建物の、低い方の一方の建物のパラペットの上部に取付けられた目地部側が上方へ突出する防水カバー支持片および両側に雨水浸入阻止カバー１０が形成された水切りカバー１１と、目地部２が広くなった場合に、水切りカバー１１に干渉しないように先端部の下方へ突出する側板１２が移動できるように、高い方の他方の建物の外壁に取付けられた目地カバー１７と、目地カバー１７よりも下方であって前記左右の建物の対向する壁面に設けられた耐火帯２３と、その両端部が該耐火帯２３の下方の前記左右の建物の対向する壁面に取り付られている。【選択図】図１【図１】
0006030725.tif 000002
【図２】
0006030725.tif 000003
【図３】
0006030725.tif 000004
【図４】
0006030725.tif 000005
【図５】
0006030725.tif 000006
【図６】
0006030725.tif 000007
【図７】
0006030725.tif 000008
【図８】
0006030725.tif 000009
【図９】
0006030725.tif 000010
【図１０】
0006030725.tif 000011
【図１１】
0006030725.tif 000012
【図１２】
0006030725.tif 000013
【図１３】
0006030725.tif 000014
【図１４】
0006030725.tif 000015